(57)【特許請求の範囲】
【請求項１】
地上デジタル放送を送出する演奏所と、
前記演奏所又は他のＴＳ−ＳＴＬ／ＴＴＬ受信放送所からトランスポートストリーム多重化信号を受信し、他のＴＳ−ＴＴＬ受信放送所へ送信し、前記トランスポートストリーム多重化信号を直列に中継しているＴＳ伝送区間における遅延調整を行なった後に、前記トランスポートストリーム多重化信号をＯＦＤＭ変調してＯＦＤＭ波とするとともに、当該トランスポートストリーム多重化信号に多重化されているＡＣ信号領域に含まれるＮＳＩパラメータを、前記ＯＦＤＭ波の補助信号であるＡＣ信号に収納し、当該ＯＦＤＭ波をＩＦ−ＴＴＬ受信放送所へ送信し、前記ＯＦＤＭ波の遅延調整を行ない、当該遅延調整を行なったＯＦＤＭ波を受信機へ送信するＴＳ−ＳＴＬ／ＴＴＬ受信放送所と、
前記ＴＳ−ＳＴＬ／ＴＴＬ受信放送所又は他の前記ＩＦ−ＴＴＬ受信放送所から前記ＯＦＤＭ波の補助信号である前記ＡＣ信号に前記ＮＳＩパラメータが収納された当該ＯＦＤＭ波を受信し、他のＩＦ−ＴＴＬ受信放送所へ送信し、前記ＯＦＤＭ波を直列に中継している全ＩＦ伝送区間における遅延調整を行い、当該遅延調整を行なったＯＦＤＭ波を前記受信機へ送信する前記ＩＦ−ＴＴＬ受信放送所と、
から構成される前記地上デジタル放送の単一周波数網において、当該単一周波数網における地上デジタル放送の遅延時間を各放送所において調整する前記ＮＳＩパラメータを、前記ＴＳ−ＳＴＬ受信放送所に送信する、前記演奏所に設けられている遅延設定用データ送信装置であって、
最大遅延時間と、ＴＳ遅延調整量および各放送所における相対遅延設定用データを含むＥＣＩと、を含んだＳＳＩを、前記ＮＳＩパラメータとして設定するＮＳＩパラメータ設定手段と、
このＮＳＩパラメータ設定手段によって設定されたＮＳＩパラメータを、ＩＩＰに収納するとともに、前記ＡＣ信号領域に収納し、収納した前記ＩＩＰおよびＡＣ信号を前記地上デジタル放送のトランスポートストリームに多重化して、トランスポートストリーム多重化信号として送出するＮＳＩ多重送出手段と、
を備え、
前記最大遅延時間は、前記地上デジタル放送を送出する時刻を基準として、ＴＳ−ＳＴＬ放送所が前記地上デジタル放送を送信アンテナを介して送信するまでの見込みの遅延時間として、予め設定されており、
前記ＴＳ遅延調整量は、前記トランスポートストリーム多重化信号を直列に中継している全ＴＳ伝送区間における見込みの遅延時間を算出するための負の調整量であって、前記最大遅延時間を基準とした値として、予め設定されており、
前記相対遅延設定用データは、前記各放送所における前記ＯＦＤＭ波を送信アンテナを介して送信するタイミングの見込みの調整時間であって、前記最大遅延時間を基準とした値として、予め設定されており、
前記ＴＳ伝送区間までの遅延時間は、
前記地上デジタル放送を送出する時刻を基準として、各放送所において、前記トランスポートストリーム多重化信号の前記ＩＩＰに収納されている前記ＮＳＩパラメータの前記ＳＳＩに含まれる前記最大遅延時間と、当該ＳＳＩの前記ＥＣＩに含まれるＴＳ遅延調整量とを加算した時間となるように調整され、
前記ＩＦ伝送区間までの遅延時間は、
前記地上デジタル放送を送出する時刻を基準として、各放送所において、前記ＯＦＤＭ波の補助信号である前記ＡＣ信号に収納されている前記ＮＳＩパラメータの前記ＳＳＩに含まれる前記最大遅延時間となるように調整される
ことを特徴とする遅延設定用データ送信装置。
【請求項２】
地上デジタル放送を送出する演奏所と、ＴＳ−ＳＴＬ／ＴＴＬ受信放送所と、前記ＴＳ−ＳＴＬ／ＴＴＬ受信放送所又は他のＩＦ−ＴＴＬ受信放送所からＯＦＤＭ波を受信し、前記ＯＦＤＭ波を直列に中継している全ＩＦ伝送区間における遅延調整を行い、当該遅延調整を行なったＯＦＤＭ波を受信機へ送信するＩＦ−ＴＴＬ受信放送所とから構成される前記地上デジタル放送の単一周波数網において、前記地上デジタル放送が前記ＴＳ−ＳＴＬ／ＴＴＬ受信放送所に伝送されるまでの伝送遅延時間を測定すると共に、当該単一周波数網における地上デジタル放送の遅延時間を各放送所において調整するＮＳＩパラメータに基づいて、当該遅延時間を調整するＴＳ−ＳＴＬ／ＴＴＬ受信放送所に設けられている地上デジタル放送波遅延時間測定調整装置であって、
前記相対遅延設定用データを設定するためのＮＳＩパラメータが前記地上デジタル放送をストリーミングしたパケットの一部であるＩＩＰに収納され、収納されたＩＩＰが前記地上デジタル放送のトランスポートストリームに多重化されたトランスポートストリーム多重化信号として受信するＴＳ多重化信号受信手段と、
前記ＴＳ多重化信号受信手段で受信されたトランスポートストリーム多重化信号の前記演奏所において送出された時刻を基準とした前記伝送遅延時間を所定の方法により測定し、当該測定した伝送遅延時間と、前記ＩＩＰに収納されている前記ＮＳＩパラメータのＳＳＩに含まれる最大遅延時間と、当該ＳＳＩのＥＣＩに含まれる負の調整量であるＴＳ遅延調整量とから、次式の遅延設定量
遅延設定量＝最大遅延時間＋ＴＳ遅延調整量−伝送遅延時間
を算出するＴＳ遅延時間測定手段と、
前記ＴＳ多重化信号受信手段で受信されたトランスポートストリーム多重化信号を、前記ＴＳ遅延時間測定手段で算出された遅延設定量だけ遅らせて出力するＴＳ遅延時間調整手段と、
前記ＴＳ遅延時間調整手段で出力されたトランスポートストリーム多重化信号をＯＦＤＭ変調して前記ＯＦＤＭ波とするとともに、前記トランスポートストリーム多重化信号に多重されているＡＣ信号領域に含まれる前記ＮＳＩパラメータを、前記ＯＦＤＭ波の補助信号であるＡＣ信号に収納するＯＦＤＭ変調手段と、
このＯＦＤＭ変調手段で変調されたＯＦＤＭ波を、ＩＦ遅延時間測定手段から出力される遅延設定量に基づいて送信タイミングを調整して、出力するＩＦ遅延時間調整手段と、
このＩＦ遅延時間調整手段で送信タイミングが調整される前のＯＦＤＭ波が入力されると、ＩＦ遅延時間測定手段に出力するとともに、前記ＩＦ遅延時間調整手段で送信タイミングが調整されたＯＦＤＭ波を、送信アンテナを介して受信機へ送信する送信手段と、
この送信手段から出力されたＯＦＤＭ波の前記演奏所において送出された時刻を基準とした遅延時間を所定の方法により測定し、当該測定したＯＦＤＭ波の遅延時間と、前記ＡＣ信号に収納されているＮＳＩパラメータの前記ＳＳＩに含まれる最大遅延時間と、当該ＳＳＩの前記ＥＣＩに含まれる当該ＴＳ−ＳＴＬ／ＴＴＬ受信放送所に対応する相対遅延設定用データとから、次式の遅延設定量
遅延設定量＝最大遅延時間＋相対遅延設定用データ−ＯＦＤＭ波の遅延時間
を算出するＩＦ遅延時間測定手段と、
を備え、
前記演奏所において、
前記ＮＳＩパラメータは、前記最大遅延時間と、前記ＴＳ遅延調整量および各放送所における前記相対遅延設定用データを含む前記ＥＣＩと、を含んだ前記ＳＳＩとして設定されており、
前記最大遅延時間は、前記地上デジタル放送を送出した時刻を基準として、ＴＳ−ＳＴＬ放送所が前記地上デジタル放送を送信アンテナを介して送信するまでの見込みの遅延時間として、予め設定されており、
前記ＴＳ遅延調整量は、前記トランスポートストリーム多重化信号を直列に中継している全ＴＳ伝送区間における見込みの遅延時間を算出するための負の調整量であって、前記最大遅延時間を基準とした値として、予め設定されており、
前記相対遅延設定用データは、前記各放送所における前記ＯＦＤＭ波を送信アンテナを介して送信するタイミングの見込みの調整時間であって、前記最大遅延時間を基準とした値として、予め設定されている
ことを特徴とする地上デジタル放送波遅延時間測定調整装置。
【請求項３】
前記ＴＳ多重化信号受信手段で受信されたトランスポートストリーム多重化信号を、他のＴＳ−ＴＴＬ受信放送所に送信するＴＳ多重化信号送信手段、又は、
前記ＯＦＤＭ変調手段でＯＦＤＭ変調されたＯＦＤＭ波を、他のＩＦ−ＴＴＬ受信放送所に送信するＯＦＤＭ波送信手段
の少なくとも一方をさらに備えることを特徴とする請求項２に記載の地上デジタル放送波遅延時間測定調整装置。
【請求項４】
地上デジタル放送を送出する演奏所と、前記演奏所又は他のＴＳ−ＳＴＬ／ＴＴＬ受信放送所からトランスポートストリーム多重化信号を受信し、前記トランスポートストリーム多重化信号を直列に中継しているＴＳ伝送区間における遅延調整を行なった後に、ＯＦＤＭ変調を行いＯＦＤＭ波とし、当該ＯＦＤＭ波をＩＦ−ＴＴＬ受信放送所へ送信するとともに、前記ＯＦＤＭ波の遅延調整を行ない、当該遅延調整を行なったＯＦＤＭ波を一般の受信機へ送信するＴＳ−ＳＴＬ／ＴＴＬ受信放送所と、前記ＩＦ−ＴＴＬ受信放送所とから構成される前記地上デジタル放送の単一周波数網において、前記地上デジタル放送波が前記ＩＦ−ＴＴＬ受信放送所に伝送されるまでの伝送遅延時間を測定すると共に、当該単一周波数網における地上デジタル放送の遅延時間を各放送所において調整するＮＳＩパラメータに基づいて、当該遅延時間を調整するＩＦ−ＴＴＬ受信放送所に設けられている地上デジタル放送波遅延時間測定調整装置であって、
前記ＴＳ−ＳＴＬ／ＴＴＬ受信放送所又は前記ＩＦ−ＴＴＬ受信放送所で中継された、前記ＮＳＩパラメータが前記ＯＦＤＭ波の補助信号であるＡＣ信号に収納された当該ＯＦＤＭ波を受信するＯＦＤＭ波受信手段と、
このＯＦＤＭ波受信手段で受信されたＯＦＤＭ波を、ＩＦ遅延時間測定手段から出力される遅延設定量に基づいて送信タイミングを調整して、出力するＩＦ遅延時間調整手段と、
このＩＦ遅延時間調整手段で送信タイミングが調整される前のＯＦＤＭ波が入力されると、ＩＦ遅延時間測定手段に出力するとともに、前記ＩＦ遅延時間調整手段で送信タイミングが調整されたＯＦＤＭ波を、送信アンテナを介して受信機へ送信する送信手段と、
この送信手段から出力されたＯＦＤＭ波の前記演奏所において送出された時刻を基準とした遅延時間を所定の方法により測定し、当該測定したＯＦＤＭ波の遅延時間と、前記ＡＣ信号に収納されているＮＳＩパラメータの前記ＳＳＩに含まれる最大遅延時間と、当該ＳＳＩの前記ＥＣＩに含まれる当該ＩＦ−ＴＴＬ受信放送所に対応する相対遅延設定用データとから、次式の遅延設定量
遅延設定量＝最大遅延時間＋相対遅延設定用データ−ＯＦＤＭ波の遅延時間
を算出するＩＦ遅延時間測定手段と、
を備え、
前記演奏所において、
前記ＮＳＩパラメータは、前記最大遅延時間と、前記ＴＳ遅延調整量および各放送所における前記相対遅延設定用データを含む前記ＥＣＩと、を含んだ前記ＳＳＩとして設定されており、
前記最大遅延時間は、前記地上デジタル放送を送出した時刻を基準として、ＴＳ−ＳＴＬ放送所が前記地上デジタル放送を送信アンテナを介して送信するまでの見込みの遅延時間として、予め設定されており、
前記ＴＳ遅延調整量は、前記トランスポートストリーム多重化信号を直列に中継している全ＴＳ伝送区間における見込みの遅延時間を算出するための負の調整量であって、前記最大遅延時間を基準とした値として、予め設定されており、
前記相対遅延設定用データは、前記各放送所における前記ＯＦＤＭ波を送信アンテナを介して送信するタイミングの見込みの調整時間であって、前記最大遅延時間を基準とした値として、予め設定されている
ことを特徴とする地上デジタル放送波遅延時間測定調整装置。
【請求項５】
前記ＯＦＤＭ波受信手段で受信されたＯＦＤＭ波を、他のＩＦ−ＴＴＬ受信放送所に送信するＯＦＤＭ波送信手段
をさらに備えることを特徴とする請求項４に記載の地上デジタル放送波遅延時間測定調整装置。
【発明の詳細な説明】
【技術分野】
【０００１】
本発明は、地上デジタル放送を単一周波数網によって行う際に生じる地上デジタル放送波の遅延時間を管理する遅延設定用データ送信装置、ＴＳ−ＳＴＬ／ＴＴＬ受信放送所およびＩＦ−ＴＴＬ受信放送所に設けられる地上デジタル放送波遅延時間測定調整装置に関する。
【背景技術】
【０００２】
現在、地上デジタル放送（地上デジタルテレビジョン放送）では、放送地域を徐々に拡大させつつ、複数チャンネルのテレビジョン放送信号が放送されている。このテレビジョン放送信号は、放送局（演奏所）側で制作したコンテンツ（番組）を放送する際に、周波数効率の良いＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）伝送方式でデジタル変調したものである。
【０００３】
このＯＦＤＭ伝送方式は、テレビジョン放送信号中にガードインターバルという時間的なガード（干渉緩和部分）を設けていることにより、テレビジョン放送信号と当該テレビジョン放送信号の反射信号や遅延信号とが干渉しあうマルチパスの妨害（干渉）に強く、ある程度長い遅延時間の遅延信号によるマルチパスの妨害に対しても、テレビジョン放送信号の信号劣化を抑制することができる伝送方式である。このため、ＯＦＤＭ伝送方式では、同じ内容のテレビジョン放送信号を同一周波数で放送する単一周波数網（ＳＦＮ：Ｓｉｎｇｌｅ  Ｆｒｅｑｕｅｎｃｙ  Ｎｅｔｗｏｒｋ）を構築することが可能であり、放送における周波数資源を大きく節約することが可能である。
【０００４】
ただし、ＯＦＤＭ伝送方式により、単一周波数網を構築するためには、テレビジョン放送信号を発射（発信）または中継する放送所（隣接する複数の放送所）において、単一周波数網内（ＳＦＮエリア内）での複数到来波の受信時刻がガードインターバル期間内に収まる必要がある。
【０００５】
しかし、同一のテレビジョン放送信号（ＯＦＤＭ信号）は、放送局（演奏所）から各放送所まで、無線または有線等の伝送経路で伝送されるため、当該伝送経路を通過中に遅延時間差が生じると共に、各放送所に設けられるＯＦＤＭ変調器等の構成機器を経由する（構成機器で処理される）ことから、当該構成機器の処理時間差も生じることになる。
【０００６】
このため、各放送所では、送信タイミングを合わせるために、遅延時間を計測して調整し、遅延時間差および処理時間差が生じないようにする必要があり、しかも、この遅延時間差がガードインターバル期間に収まっている必要がある。つまり、各放送所は、単一周波数網の中でカバーするサービスエリア内において、複数到来する反射信号や遅延信号の遅延時間差がガードインターバル期間を超えることによって、テレビジョン放送信号（ＯＦＤＭ信号）が受信不可能にならないように、送信タイミングの調整を行う必要がある。例えば、ＯＦＤＭ伝送方式のＭＯＤＥ３において、ガードインターバル期間が有効シンボル長（１００８μｓｅｃ）の１／８である場合、遅延時間差が１２６μｓｅｃに収まっている必要がある（非特許文献１参照）。
【０００７】
ちなみに、単一周波数網において、複数到来する反射信号や遅延信号の遅延時間差がガードインターバル期間を超えることによって、テレビジョン放送信号（ＯＦＤＭ信号）が受信不可能になることをＳＦＮ難視という。
【０００８】
【非特許文献１】地上デジタルテレビジョン放送の伝送方式  標準規格（ＡＲＩＢ  ＳＴＤ−Ｂ３１）：電波産業会、ｐ８４，ｐ８８，ｐ１０４〜ｐ１０６
【発明の開示】
【発明が解決しようとする課題】
【０００９】
しかしながら、非特許文献１の「地上デジタルテレビジョン放送の伝送方式  標準規格（ＡＲＩＢ  ＳＴＤ−Ｂ３１）」では、テレビジョン放送信号がトランスポートストリームで伝送される伝送区間（ＴＳ伝送区間）で生じた遅延時間の調整については記載されているが、ＯＦＤＭ変調器で変調されたＯＦＤＭ信号（ＯＦＤＭ変調波）で伝送される伝送区間（ＩＦ伝送区間）で生じた遅延時間の調整については記載されていない。
【００１０】
ところが、地上デジタル放送（地上デジタルテレビジョン放送）における単一周波数網では、ＴＳ伝送区間とＩＦ伝送区間とが混在しており、非特許文献１では記載されていないＩＦ伝送区間で生じた遅延時間の調整の仕方を定めることで、単一周波数網の運用を効率的に行う手法を確立することが求められている。例えば、この単一周波数網の運用方法として、親局から子局に順次開局を行っていく過程、つまり、演奏所から送出したコンテンツ（番組）をテレビジョン放送信号として、各放送所に伝送していく過程で、下位局の開局時（テレビジョン信号の伝送時）に上位局を休止する必要の無い方法で運用していくことが望まれている。
【００１１】
また、ＳＦＮ難視を最小にするために、単一周波数網を構成する複数の放送所において、送信タイミングを微調整する必要があり、この微調整を行うためには、単一周波数網の中でカバーするサービスエリア内のフィールドで、複数到来する反射信号や遅延信号の測定（以下、遅延プロファイル測定という）を行い、各放送所にて遅延時間の微調整を行うなどの煩雑な作業を行わなければならないという問題がある。
【００１２】
そこで、本発明では、前記した問題を解決し、単一周波数網における地上デジタル放送を効率的に運用することができ、各放送所にて遅延時間の微調整を行う煩雑な作業を軽減することができる遅延設定用データ送信装置、ＴＳ−ＳＴＬ／ＴＴＬ受信放送所地上デジタル放送波遅延時間測定調整装置およびＩＦ−ＳＴＬ／ＴＴＬ受信放送所地上デジタル放送波遅延時間測定調整装置を提供することを目的とする。
【課題を解決するための手段】
【００１３】
前記課題を解決するため、請求項１記載の遅延設定用データ送信装置は、地上デジタル放送を送出する演奏所と、ＴＳ−ＳＴＬ／ＴＴＬ受信放送所と、ＩＦ−ＴＴＬ受信放送所とから構成される前記地上デジタル放送の単一周波数網において、当該単一周波数網における地上デジタル放送波の遅延時間を各放送所において調整するＮＳＩパラメータを、前記ＴＳ−ＳＴＬ受信放送所に送信する、前記演奏所に設けられている遅延設定用データ送信装置であって、ＮＳＩパラメータ設定手段と、ＮＳＩ多重送出手段と、を備える構成とした。
【００１４】
かかる構成によれば、遅延設定用データ送信装置は、ＮＳＩパラメータ設定手段によって、最大遅延時間、ＴＳ遅延調整量、並びに、ＴＳ−ＳＴＬ／ＴＴＬ受信放送所およびＩＦ−ＴＴＬ受信放送所で測定された地上デジタル放送波の遅延時間に基づいて予め設定した相対遅延設定用データを、ＮＳＩパラメータとして設定する。なお、ＮＳＩ（Ｎｅｔｗｏｒｋ Ｓｙｎｃｈｒｏｎｉｚａｔｉｏｎ Ｉｎｆｏｒｍａｔｉｏｎ）は、単一周波数網における送信タイミングの同期を取るための情報である。ＮＳＩパラメータは、各放送所における遅延時間である相対遅延設定用データとして、ＴＳ伝送区間の遅延時間、ＯＦＤＭ変調手段（ＯＦＤＭ変調器）の処理時間（遅延時間）およびＩＦ伝送区間の遅延時間に計画的に配分したものである。ＩＩＰは、ＩＳＤＢ−Ｔ Ｉｎｆｏｒｍａｔｉｏｎ Ｐａｃｋｅｔである。
【００１５】
そして、遅延設定用データ送信装置は、ＮＳＩ多重送出手段によって、このＮＳＩパラメータ設定手段によって設定されたＮＳＩパラメータを、ＩＩＰに収納し、収納したＩＩＰを地上デジタル放送波のトランスポートストリームに多重化するとともに、ＮＳＩパラメータを、ＡＣ信号領域に収納し、収納したＡＣ信号を地上デジタル放送波のトランスポートストリームに多重化して、トランスポートストリーム多重化信号としてＴＳ−ＳＴＬ受信放送所に送出する。
【００１８】
請求項２記載の地上デジタル放送波遅延時間測定調整装置は、地上デジタル放送を送出する演奏所と、ＴＳ−ＳＴＬ／ＴＴＬ受信放送所と、ＩＦ−ＴＴＬ受信放送所とから構成される前記地上デジタル放送の単一周波数網において、前記地上デジタル放送波が前記ＴＳ−ＳＴＬ／ＴＴＬ受信放送所に伝送されるまでの伝送遅延時間を測定すると共に、当該単一周波数網における地上デジタル放送波の遅延時間を各放送所において調整するＮＳＩパラメータに基づいて、当該遅延時間を調整するＴＳ−ＳＴＬ／ＴＴＬ受信放送所に設けられている地上デジタル放送波遅延時間測定調整装置であって、ＴＳ多重化信号受信手段と、ＴＳ遅延時間測定手段と、ＴＳ遅延時間調整手段と、ＯＦＤＭ変調手段と、ＩＦ遅延時間調整手段と、送信手段と、ＩＦ遅延時間測定手段と、を備える構成とした。
【００１９】
かかる構成によれば、地上デジタル放送波遅延時間測定調整装置は、ＴＳ多重化信号受信手段によって、トランスポートストリーム多重化信号を受信する。トランスポートストリーム多重化信号は、相対遅延設定用データを設定するＮＳＩパラメータが収納されたＩＩＰを、地上デジタル放送波のトランスポートストリームに多重化したものである。続いて、地上デジタル放送波遅延時間測定調整装置は、ＴＳ遅延時間測定手段によって、トランスポートストリーム多重化信号受信手段で受信されたトランスポートストリーム多重化信号がＴＳ−ＳＴＬ受信放送所に伝送されるまでの伝送遅延時間を測定すると共に、ＩＩＰに収納されているＮＳＩパラメータを利用して遅延時間の調整量を決定する。つまり、ＴＳ伝送区間の遅延時間（伝送遅延時間）を測定して、遅延時間の調整量を決定する。
【００２０】
そして、地上デジタル放送波遅延時間測定調整装置は、ＴＳ遅延時間調整手段によって、ＴＳ遅延時間測定手段で決定された調整量に基づいて、遅延時間を調整する（送信タイミングを調整量分だけ遅らせる）。つまり、ＴＳ伝送区間の遅延時間を調整することで、送信タイミングを微調整し、各放送所において当該送信タイミングが一致するようにしている。そして、地上デジタル放送波遅延時間測定調整装置は、ＯＦＤＭ変調手段によって、トランスポートストリーム多重化信号受信手段で受信されたトランスポートストリーム多重化信号をＯＦＤＭ変調してＯＦＤＭ波とし、トランスポートストリーム多重化信号に多重されていたＮＳＩパラメータを、ＯＦＤＭ波の補助信号であるＡＣ信号に収納する。
【００２１】
そして、地上デジタル放送波遅延時間測定調整装置は、ＩＦ遅延時間調整手段によって、ＯＦＤＭ変調手段でＯＦＤＭ変調されたＯＦＤＭ波を送信する際の送信遅延時間を調整し（送信タイミングを調整量分だけ遅らせ）、送信手段によって、ＩＦ遅延時間調整手段で送信する際の送信遅延時間が調整されたＯＦＤＭ波を送信する。
【００２２】
また、地上デジタル放送波遅延時間測定調整装置は、ＩＦ遅延時間測定手段によって、送信手段で送信する際の送信遅延時間を測定すると共に、ＡＣ信号に収納されているＮＳＩパラメータを利用して、送信する際の送信遅延時間の調整量を決定する。
請求項３記載の地上デジタル放送波遅延時間測定調整装置は、請求項２記載の地上デジタル放送波遅延時間測定調整装置において、さらに、ＴＳ多重化信号受信手段で受信されたトランスポートストリーム多重化信号を、他のＴＳ−ＴＴＬ受信放送所に送信するＴＳ多重化信号送信手段、又は、ＯＦＤＭ変調手段でＯＦＤＭ変調されたＯＦＤＭ波を、他のＩＦ−ＴＴＬ受信放送所に送信するＯＦＤＭ波送信手段の少なくとも一方をさらに備えることを特徴とする。
【００２３】
請求項４記載の地上デジタル放送波遅延時間測定調整装置は、地上デジタル放送を送出する演奏所と、ＴＳ−ＳＴＬ／ＴＴＬ受信放送所と、ＩＦ−ＴＴＬ受信放送所とから構成される前記地上デジタル放送の単一周波数網において、前記地上デジタル放送波が前記ＩＦ−ＴＴＬ受信放送所に伝送されるまでの伝送遅延時間を測定すると共に、当該単一周波数網における地上デジタル放送波の遅延時間を各放送所において調整するＮＳＩパラメータに基づいて、当該遅延時間を調整するＩＦ−ＴＴＬ受信放送所に設けられている地上デジタル放送波遅延時間測定調整装置であって、ＯＦＤＭ波受信手段と、ＩＦ遅延時間調整手段と、送信手段と、ＩＦ遅延時間測定手段と、を備える構成とした。
【００２４】
かかる構成によれば、地上デジタル放送波遅延時間測定調整装置は、ＯＦＤＭ波受信手段によって、相対遅延設定用データを設定するＮＳＩパラメータがＡＣ信号に収納されたＯＦＤＭ波を受信する。続いて、地上デジタル放送波遅延時間測定調整装置は、ＩＦ遅延時間調整手段によって、伝送遅延時間と、ＯＦＤＭ波受信手段で受信されたＯＦＤＭ波を送信する際の送信遅延時間とを調整する（送信タイミングを調整量分だけ遅らせる）。つまり、ＩＦ伝送区間の遅延時間を調整することで、送信タイミングを微調整し、各放送所において当該送信タイミングが一致するようにしている。そして、地上デジタル放送波遅延時間測定調整装置は、送信手段によって、遅延時間が調整されたＯＦＤＭ波を送信する。
【００２５】
また、地上デジタル放送波遅延時間測定調整装置は、ＩＦ遅延時間測定手段によって、伝送遅延時間と、送信手段で送信する際の送信遅延時間とを測定すると共に、ＡＣ信号に収納されているＮＳＩパラメータを利用して遅延時間の調整量を決定する。つまり、ＩＦ伝送区間の遅延時間を測定し、遅延時間の調整量を決定する。
また、請求項５記載の地上デジタル放送波遅延時間測定調整装置は、請求項４記載の地上デジタル放送波遅延時間測定調整装置において、さらに、ＯＦＤＭ波受信手段で受信されたＯＦＤＭ波を、他のＩＦ−ＴＴＬ受信放送所に送信するＯＦＤＭ波送信手段を備えることを特徴とする。
【発明の効果】
【００２６】
請求項１記載の発明によれば、最大遅延時間、ＴＳ遅延調整量、及び、単一周波数網を構成する各放送所における遅延時間を調整する調整量の基準となる相対遅延設定用データを、地上デジタル放送をストリーミングしたパケットの一部であるＩＩＰに収納したＮＳＩパラメータとすることで、各放送所では、ＮＳＩパラメータを利用することにより、遅延時間の分配が行われ、ＴＳ伝送区間の遅延時間を調整することができ、単一周波数網における地上デジタル放送を効率的に運用することができる。
【００２７】
また、請求項１記載の発明によれば、最大遅延時間、ＴＳ遅延調整量、及び、単一周波数網を構成する各放送所における遅延時間を調整する調整量の基準となる相対遅延設定用データを、ＡＣ信号領域に収納したＮＳＩパラメータとすることで、各放送所では、ＮＳＩパラメータを利用することにより、遅延時間の分配が行われ、標準規格では規定されていないＩＦ伝送区間の遅延時間を調整することができ、単一周波数網における地上デジタル放送を効率的に運用することができる。また、ＮＳＩパラメータを利用することより、各放送所にて遅延時間の微調整を行う煩雑な作業を軽減することができる。
【００２８】
請求項２及び３記載の発明によれば、ＴＳ−ＳＴＬ／ＴＴＬ受信放送所において、ＮＳＩパラメータを利用することより、地上デジタル放送波の遅延時間（ＴＳ伝送区間およびＩＦ伝送区間の遅延時間）を調整することができ、遅延時間の微調整を行う煩雑な作業を軽減することができる。
【００２９】
請求項４及び５記載の発明によれば、ＩＦ−ＴＴＬ受信放送所において、ＮＳＩパラメータを利用することにより、地上デジタル放送波の遅延時間（ＩＦ伝送区間の遅延時間）を調整することができ、遅延時間の微調整を行う煩雑な作業を軽減することができる。
【発明を実施するための最良の形態】
【００３０】
次に、本発明の実施形態について、適宜、図面を参照しながら詳細に説明する。
図１は、単一周波数網システムのブロック図である。この図１に示すように、単一周波数網システムＳは、演奏所（放送局）に設けられている遅延設定用データ送信装置１と、基幹放送所（放送所Ａ）に設けられている基幹放送所地上デジタル放送波遅延時間測定調整装置３と、中継放送所（放送所Ｂ）に設けられている中継放送所地上デジタル放送波遅延時間測定調整装置５と、３箇所の末端放送所（放送所Ｃ、ＤおよびＥ）に設けられている３台の末端放送所地上デジタル放送波遅延時間測定調整装置７と、を備えている。
【００３１】
この図１において、ＴＳ−ＳＴＬ（Ｔｒａｎｓｐｏｒｔ  Ｓｔｒｅａｍ−Ｓｔｕｄｉｏ  ｔｏ  Ｔｒａｎｓｍｉｔｔｅｒ  Ｌｉｎｋ）は、トランスポートストリーム多重化信号（ＴＳ多重化信号）の伝送する伝送路が演奏所（スタジオ）と基幹放送所（トランスミッタ）とを結んでいることを示している。
【００３２】
また、ＴＳ−ＴＴＬ（Ｔｒａｎｓｐｏｒｔ  Ｓｔｒｅａｍ−Ｔｒａｎｓｍｉｔｔｅｒ  ｔｏ  Ｔｒａｎｓｍｉｔｔｅｒ  Ｌｉｎｋ）は、トランスポートストリーム多重化信号（ＴＳ多重化信号）の伝送する伝送路が基幹放送所（トランスミッタ）と中継放送所（トランスミッタ）とを結んでいることを示している。
【００３３】
さらに、ＩＦ−ＴＴＬ（Ｉｎｔｅｒｍｅｄｉａｔｅ  Ｆｒｅｑｕｅｎｃｙ−Ｔｒａｎｓｍｉｔｔｅｒ  ｔｏ  Ｔｒａｎｓｍｉｔｔｅｒ  Ｌｉｎｋ）は、ＯＦＤＭ波の伝送する伝送路が中継放送所（または末端放送所）と末端放送所とを結んでいることを示している。
【００３４】
単一周波数網システムＳは、地上デジタル放送（地上デジタルテレビジョン放送）を、単一周波数網（ＳＦＮ：Ｓｉｎｇｌｅ  Ｆｒｅｑｅｎｃｙ  Ｎｅｔｗｏｒｋ）で行う際に、演奏所から送信されたテレビジョン放送信号が、基幹放送所（放送所Ａ）、中継放送所（放送所Ｂ）および末端放送所（放送所Ｃ、ＤおよびＥ）と伝搬されるうちに生じる遅延時間の差（送信タイミングのずれ）を調整するものである。
【００３５】
なお、基幹放送所（放送所Ａ）および中継放送所（放送所Ｂ）は、後記するトランスポートストリーム多重化信号（放送ＴＳ）を送出するものであり、双方の放送所は、請求項に記載したＴＳ−ＳＴＬ／ＴＴＬ受信放送所を指している。それゆえ、基幹放送所および中継放送所を合わせて、ＴＳ−ＳＴＬ／ＴＴＬ受信放送所と記載し、基幹放送所（放送所Ａ）に設けられている基幹放送所地上デジタル放送波遅延時間測定調整装置３と、中継放送所（放送所Ｂ）に設けられている中継放送所地上デジタル放送波遅延時間測定調整装置５とをＴＳ−ＳＴＬ／ＴＴＬ受信放送所地上デジタル放送波遅延時間測定調整装置（３または５）と記載する場合もある。
【００３６】
また、末端放送所（放送所Ｃ、ＤおよびＥ）はＯＦＤＭ波を送出するものであり、請求項に記載したＩＦ−ＴＴＬ受信放送所を指している。それゆえ、末端放送所地上デジタル放送波遅延時間測定調整装置７をＩＦ−ＴＴＬ受信放送所地上デジタル放送波遅延時間測定調整装置７と記載する場合もある。
【００３７】
〈遅延設定用データ送信装置の構成〉
遅延設定用データ送信装置１は、各放送所（放送所Ａ〜Ｅ）における地上デジタル放送波の遅延時間を各放送所（放送所Ａ〜Ｅ）において調整する際の調整量の基準となる相対遅延設定用データを、基幹放送所（放送所Ａ）に送信するもので、ＮＳＩパラメータ設定手段９と、ＮＳＩ多重送出手段１１とを備えている。
【００３８】
ＮＳＩパラメータ設定手段９は、予め基幹放送所（放送所Ａ）、中継放送所（放送所Ｂ）および末端放送所（放送所Ｃ、ＤおよびＥ）で測定された遅延時間に基づいて予め設定した相対遅延設定用データを、地上デジタル放送波をストリーミングした際のパケットの一部であり、遅延時間を個別に制御するＥＣＩに収納するためのＮＳＩパラメータとして設定するものである。
【００３９】
相対遅延設定用データは、各放送所で測定された遅延時間に基づいて、地上デジタル放送波が演奏所から送出されてから、末端放送所（放送所Ｃ、ＤおよびＥ）から送信されるまでの最大遅延時間（ｍａｘｉｍｕｍ  ｄｅｌａｙ）を予め設定した際（各放送所における遅延時間の測定結果による）に、各放送所における相対的な遅延時間の調整量（調整時間）を設定したものである。なお、図１において、相対遅延設定用データは、相対送信時刻と記載している。
【００４０】
例えば、最大遅延時間を５００ｍｓｅｃとした際に、放送所Ａの相対遅延設定用データ（Ａ局相対遅延設定用データ）は０μｓｅｃ、放送所Ｂの相対遅延設定用データ（Ｂ局相対遅延設定用データ）は１００μｓｅｃ、放送所Ｃの相対遅延設定用データ（Ｃ局相対遅延設定用データ）は１５０μｓｅｃ、放送所Ｄの相対遅延設定用データ（Ｄ局相対遅延設定用データ）は１５５μｓｅｃ、放送所Ｅの相対遅延設定用データ（Ｅ局相対遅延設定用データ）は１５０μｓｅｃと設定している。
【００４１】
ＮＳＩパラメータは、ＴＳ伝送区間における遅延時間（ＴＳ遅延時間［伝送遅延時間］）、ＯＦＤＭ変調処理する際の処理時間およびＩＦ伝送区間における遅延時間（ＩＦ遅延時間［送信遅延時間］）の調整量を、各放送所に計画的に配分したものである。また、このＮＳＩパラメータは、図示を省略した記憶手段にＮＳＩ設定テーブル（詳細は後ほど例示する）として記憶されている。このＮＳＩ設定テーブルには、ＥＣＩのテーブル（ＥＣＩテーブル）が含まれており、このＥＣＩテーブルには、各放送所（放送所Ａ〜Ｅ）を識別する放送所識別子（Ｅ−ＩＤ：放送所Ａ〜Ｅに対応、００１〜００５）およびタイムオフセットが設定されている。つまり、放送所Ａ〜Ｅにおいて、トランスポートストリーム多重化信号およびＯＦＤＭ波の送信タイミングを調整するために、ＥＣＩテーブルの放送所識別子（Ｅ−ＩＤ：００１〜００５）に対して、個々（放送所毎）のタイムオフセットを設定している。
【００４２】
ＮＳＩ多重送出手段１１は、ＮＳＩパラメータを収めたＩＩＰを、地上デジタル放送のテレビジョン信号（トランスポートストリーム）に多重化したトランスポートストリーム多重化信号を基幹放送所（放送所Ａ）に送出（送信）するものである。また、ＮＳＩパラメータをＡＣ信号に収納して、地上デジタル放送のテレビジョン信号（トランスポートストリーム）に多重化したトランスポートストリーム多重化信号を送出する。
【００４３】
ここで、図２〜図５を参照して、遅延設定用データ送信装置１によって、各放送所（放送所Ａ〜Ｅ）で送信タイミングを調整して送出すること（単一周波数網で送信タイミングを微調整した地上デジタルテレビジョン放送）を実現する場合の、ＮＳＩパラメータ設定、各放送所における遅延量の設定、送信タイミングの微調整およびＮＳＩ設定テーブルの作成例について説明する。
【００４４】
図２は、ＴＳ伝送区間における遅延時間、ＯＦＤＭ変調処理する際の処理時間および
ＩＦ伝送区間における遅延時間を計画的に分配することを説明した図である。
この図２に示す例では、最大遅延時間（ｍａｘｉｍｕｍ  ｄｅｌａｙ）を５００ｍｓｅｃとした際に、ＴＳ伝送区間（ＴＳ−ＳＴＬ／ＴＴＬ回線）の遅延時間は５０ｍｓｅｃ（１区間約５ｍｓｅｃの遅延で、１０区間分）、ＯＦＤＭ変調処理（ＭＯＤ：ＭＯＤｕｌａｔｉｏｎ［変調］）する処理時間は４００ｍｓｅｃ、ＩＦ伝送区間（ＩＦ−ＴＴＬ回線）の遅延時間は５０ｍｓｅｃ（１区間約５ｍｓｅｃの遅延で、１０区間分）を見込んでいる。
【００４５】
図３は、各放送所における遅延量（ＴＳ遅延時間、ＩＦ遅延時間）の設定について説明した図である。
この図３に示すように、演奏所から放送所Ａ、放送所Ｂおよび放送所Ｃまで、最大遅延時間（ｍａｘｉｍｕｍ  ｄｅｌａｙ）に合わせた適切な遅延量（ＴＳ遅延時間、ＩＦ遅延時間）を設定することで、複数の放送所において同時送信を行うことが可能になる。なお、この図３において、各放送所からの吹き出し部分は、上段部分に各放送所での実際の遅延時間を、下段に予め見込んでいる遅延時間（５００ｍｓｅｃ）を表示するように構成されている。「ＯＦＤＭ  ＭＯＤ」の左側の「遅延調整」は、ＴＳの遅延調整量を指しており、「ＯＦＤＭ  ＭＯＤ」の右側の「遅延調整」は、ＩＦの遅延調整量を指している。
【００４６】
図４は、各放送所別のＮＳＩパラメータの作成（送信タイミングの微調整）について説明した図である。
この図４に示すように、各放送所（ここでは、放送所Ａ、Ｂ、Ｃのみを示している）の送信タイミングを微調整するために、放送所毎のｔｉｍｅ  ｏｆｆｓｅｔ（タイムオフセット）を設定しており、放送所Ａと放送所Ｂとのタイムオフセットを１００μｓｅｃと、放送所Ａと放送所Ｃとのタイムオフセットを１５０μｓｅｃと設定している。つまり、放送所Ａの送信時刻（Ａ局送信時刻）を基準に、このＡ局送信時刻から１００μｓｅｃ後を、放送所Ｂの送信時刻（Ｂ局送信時刻）としており、また、当該Ａ局送信時刻から１５０μｓｅｃ後を、放送所Ｃの送信時刻（Ｃ局送信時刻）としている。
【００４７】
図５は、ＮＳＩ設定テーブルの作成例を説明した図である。図５（ａ）は相対遅延設定用データの設計（設定）について説明した図であり、図５（ｂ）はＮＳＩ設定テーブルの作成（ＥＣＩテーブルを含む）について説明した図である。
【００４８】
図５（ａ）に示すように、地上デジタルテレビジョン放送のトランスポートストリーム多重化信号が、演奏所から基幹放送所である放送所Ａ（ＩＤ［Ｅ−ＩＤ］：００１）に送信（伝送）される際の相対遅延（相対遅延設定用データ）は、放送所Ａを送信タイミングを微調整する基準にしているので０μｓｅｃと、放送所Ｂ（ＩＤ［Ｅ−ＩＤ］：００２）に送信される際の相対遅延は１００μｓｅｃと、放送所Ｃ（ＩＤ［Ｅ−ＩＤ］：００３）に送信される際の相対遅延は１５０μｓｅｃと、放送所Ｄ（ＩＤ［Ｅ−ＩＤ］：００４）に送信される際の相対遅延は１５５μｓｅｃと、放送所Ｅ（ＩＤ［Ｅ−ＩＤ］：００５）に送信される際の相対遅延は１５０μｓｅｃと設計（設定）されている。
【００４９】
図５（ｂ）に示すように、ＮＳＩテーブル（ＮＳＩ設定テーブル）は、ＳＴＳ等を設定したＳＳＩテーブルと、ＥＣＩを設定したＥＣＩテーブルとからなっている。
【００５０】
この例では、ＳＳＩテーブルは、ＳＴＳ（Ｓｙｎｃｈｒｏｎｉｚａｔｉｏｎ  Ｔｉｍｅ  Ｓｔａｍｐ）を２４ｂｉｔ、ｍａｘｉｍｕｍ  ｄｅｌａｙを５００ｍｓｅｃ、Ｅｑｕｉｐｍｅｎｔ  Ｌｏｏｐ  Ｌｅｎｇｔｈを８ｂｉｔと設定している。
【００５１】
また、ＥＣＩテーブルでは、図５（ａ）で設計（設定）した相対遅延設定用データを反映させている。
【００５２】
図１に戻って、単一周波数網システムＳを構成する各装置（１，３，５，７）の構成の説明を続ける。
遅延設定用データ送信装置１によれば、ＮＳＩパラメータ設定手段９によって、基幹放送所（放送所Ａ）、中継放送所（放送所Ｂ）および末端放送所（放送所Ｃ，ＤおよびＥ）で測定された地上デジタル放送波の遅延時間に基づいて、相対遅延設定用データが確定され、確定された相対遅延設定用データが、遅延時間を個別に制御するためのＩＩＰに収納するＮＳＩパラメータとして設定される。そして、ＮＳＩ多重送出手段１１によって、ＮＳＩパラメータ設定手段９で設定されたＮＳＩパラメータが、ＩＩＰに収納され、収納されたＩＩＰが地上デジタル放送波のトランスポートストリーム多重化信号として基幹放送所（放送所Ａ）に送出される。このため、単一周波数網を構成する各放送所の遅延時間を相対させ、遅延時間の調整量の基準となる相対遅延設定用データを、遅延時間を個別に制御するＩＩＰに収納したＮＳＩパラメータとすることで、各放送所（Ａ〜Ｅ）では、ＮＳＩパラメータを利用することにより、遅延時間の分配が行われ、標準規格では規定されていないＩＦ伝送区間の遅延時間を調整することができ、単一周波数網における地上デジタル放送を効率的に運用することができる。また、ＮＳＩパラメータを利用することより、各放送所にて遅延時間の微調整を行う煩雑な作業を軽減することができる。
【００５３】
〈基幹放送所地上デジタル放送波遅延時間測定調整装置の構成〉
基幹放送所地上デジタル放送波遅延時間測定調整装置３は、基幹放送所（放送所Ａ）に設けられており、演奏所（放送局）に設けられている遅延設定用データ送信装置１からＳＴＬ回線を介して送信されたトランスポートストリーム多重化信号を受信して、当該トランスポートストリーム多重化信号の遅延時間を調整して中継放送所（放送所Ｂ）に送信するもので、ＴＳ多重化信号受信手段１３と、ＴＳ遅延時間測定手段１５と、ＴＳ遅延時間調整手段１７と、ＴＳ多重化信号送信手段１９と、ＯＦＤＭ変調手段２１と、ＩＦ遅延時間調整手段２３と、送信手段２５と、ＩＦ遅延時間測定手段２７とを備えている。
【００５４】
ＴＳ多重化信号受信手段１３は、演奏所（放送局）からＳＴＬ回線を介して送信されたトランスポートストリーム多重化信号（以下、ＴＳ多重化信号という）を受信するものである。この実施形態では、ＴＳ多重化信号受信手段１３は、ＴＳ多重化信号を受信するマイクロ回線装置（受信装置）によって構成されている。
【００５５】
ＴＳ遅延時間測定手段１５は、ＴＳ多重化信号受信手段１３で受信されたＴＳ多重化信号の遅延時間（演奏所から送信されてからＴＳ多重化信号受信手段１３で受信されてＴＳ遅延時間調整手段１７に入力されるまでの時間）を測定すると共に、ＴＳ多重化信号に多重化されているＩＩＰに収められているＮＳＩパラメータに基づいて、遅延時間の設定量（遅延設定量）を決定する（設定すべき遅延時間を算出する）ものである。このＴＳ遅延時間測定手段１５で決定された遅延設定量は、ＴＳ遅延時間調整手段１７に出力される。
【００５６】
このＴＳ遅延時間測定手段１５によるＴＳ多重化信号の遅延時間の測定は、図示を省略したＧＰＳ（Ｇｌｏｂａｌ  Ｐｏｓｉｔｉｏｎｉｎｇ  Ｓｙｓｔｅｍ）等から基準時間信号（１ＰＰＳ（Ｐｕｌｓｅ  Ｐｅｒ  Ｓｅｃｏｎｄ））および基準周波数信号（１０ＭＨｚ）を取得して、ＴＳ多重化信号の多重フレームの開始タイミングと基準時間信号（１ＰＰＳ）との時間差を基準周波数信号（１０ＭＨｚ）によってカウントし、カウントしたカウント値によって行われる。
【００５７】
そして、このＴＳ遅延時間測定手段１５は、カウントしたカウント値を、ＴＳ多重化信号を構成する多重フレーム内のＩＩＰ（ＩＳＤＢ−Ｔ  Ｉｎｆｏｒｍａｔｉｏｎ  Ｐａｃｋｅｔ：ＩＳＤＢ−Ｔにおける情報パケット）パケットのＮＳＩ（Ｎｅｔｗｏｒｋ  Ｓｙｎｃｈｒｏｎｉｚａｔｉｏｎ  Ｉｎｆｏｒｍａｔｉｏｎ）にＳＴＳ（Ｓｙｎｃｈｒｏｎｉｚａｔｉｏｎ  Ｔｉｍｅ  Ｓｔａｍｐ）情報として書き込む。
【００５８】
このＴＳ遅延時間測定手段１５では、まず、ＮＳＩパラメータに収められているＳＴＳを基準に遅延時間を測定する。例えば、測定した測定結果（遅延時間）が５ｍｓｅｃであったとする。そして、このＴＳ遅延時間測定手段１５は、ＮＳＩパラメータに収められているＳＳＩテーブルおよびＥＣＩテーブルから、最大遅延時間５００ｍｓｅｃおよび放送所識別子（Ｅ−ＩＤ：０００）に該当するＴｉｍｅ  ｏｆｆｓｅｔ  Ｐｏｌａｒｉｔｙ（タイムオフセットの極性）とＴｉｍｅ  ｏｆｆｓｅｔ（タイムオフセット）とである−４５０ｍｓｅｃを読み込む。
【００５９】
そうすると、このＴＳ遅延時間測定手段１５は、最大遅延時間（５００ｍｓｅｃ）＋タイムオフセット（−４５０ｍｓｅｃ）を、目標遅延設定量（５００ｍｓｅｃ−４５０ｍｓｅｃ＝５０ｍｓｅｃ）として算出する。測定した遅延時間が５ｍｓｅｃであるので、遅延時間を調整する調整量となる遅延設定量は、５０ｍｓｅｃ−５ｍｓｅｃ＝４５ｍｓｅｃとなる。そして、この遅延設定量４５ｍｓｅｃがＴＳ遅延時間調整手段１７に出力されることとなる。
【００６０】
ＴＳ遅延時間調整手段１７は、ＴＳ遅延時間測定手段１５で決定された遅延設定量（遅延時間の調整量）に基づいて、ＴＳ多重化信号の送信タイミングを調整する、すなわち、遅延時間の調整量分だけ遅らせてＴＳ多重化信号をＯＦＤＭ変調手段２１に出力するものである。つまり、このＴＳ遅延時間調整手段１７によって、ＴＳ伝送区間の遅延時間（ＴＳ遅延時間）が調整されることになる。このＴＳ遅延時間調整手段１７で送信タイミングが調整されたＴＳ多重化信号は、ＯＦＤＭ変調手段２１に出力される。
【００６１】
ＴＳ多重化信号送信手段１９は、ＴＳ多重化信号受信手段１３によって受信されたＴＳ多重化信号を送信タイミングの調整を行わずにそのまま、他の基幹放送所に送信するものである。
【００６２】
ＯＦＤＭ変調手段２１は、ＴＳ遅延時間調整手段１７でＴＳ伝送区間の遅延時間（ＴＳ遅延時間）が調整されたＴＳ多重化信号にＯＦＤＭ変調（６４ＱＡＭ等）を施すものである。このＯＦＤＭ変調手段２１でＯＦＤＭ変調が施されたＴＳ多重化信号はＯＦＤＭ波として、ＩＦ遅延時間調整手段２３に出力される。
【００６３】
なお、このＯＦＤＭ波変調手段２１では、ＴＳ多重化信号に多重化されているＥＣＩを、ＯＦＤＭ波の補助信号であるＡＣ信号に多重化する。ＡＣ（Ａｕｘｉｌｉａｒｙ  Ｃｈａｎｎｅｌ：補助チャンネル）信号は、付加情報（ここでは、ＮＳＩパラメータ）を受信側（各放送所）に伝送するための補助信号である。また、ここでは、本発明とは直接関わりが無いので詳細には述べないが、このＯＦＤＭ変調手段２１で、ガードインターバル期間（信号）が付加されている。
【００６４】
ＩＦ遅延時間調整手段２３は、ＯＦＤＭ変調手段２１でＯＦＤＭ変調されたＯＦＤＭ波が送信手段２５で送信される際の送信タイミングを、ＩＦ遅延時間測定手段２７で決定された遅延設定量（遅延時間の調整量）に基づいて調整する（遅らせる）ものである。
【００６５】
送信手段２５は、当初、送信タイミングが調整される前のＯＦＤＭ波が入力されるとＩＦ遅延時間測定手段２７に出力すると共に、最終的にＩＦ遅延時間調整手段２３で送信タイミングが調整されたＯＦＤＭ波を、送信アンテナを介して送信するものである。
【００６６】
ＩＦ遅延時間測定手段２７は、送信手段２５から出力されたＯＦＤＭ波の遅延時間（演奏所から送信されてからＴＳ多重化信号受信手段１３で受信されて送信手段２５から送信されるまでの時間）を測定すると共に、ＡＣ信号に多重化されているＥＣＩに収められているＮＳＩパラメータに基づいて、遅延時間の設定量（遅延設定量）を決定する（設定すべき遅延時間を算出する）ものである。このＩＦ遅延時間測定手段２７で決定された遅延設定量は、ＩＦ遅延時間調整手段２３に出力される。
【００６７】
このＩＦ遅延時間測定手段２７では、まず、ＮＳＩパラメータに収められているＳＴＳ（同期時刻情報）を基準に遅延時間を測定する。例えば、測定した測定結果（遅延時間）が４５１ｍｓｅｃであったとする。そして、このＩＦ遅延時間測定手段２７は、ＮＳＩパラメータに収められているＳＳＩテーブルおよびＥＣＩテーブルから、最大遅延時間５００ｍｓｅｃおよび放送所識別子（Ｅ−ＩＤ：００１）に該当するＴｉｍｅ  ｏｆｆｓｅｔ  Ｐｏｌａｒｉｔｙ（タイムオフセットの極性）とＴｉｍｅ  ｏｆｆｓｅｔ（タイムオフセット）とである０μｓｅｃを読み込む。
【００６８】
そうすると、このＩＦ遅延時間測定手段２７は、最大遅延時間（５００ｍｓｅｃ）＋タイムオフセット（０μｓｅｃ）を、目標遅延設定量（５００ｍｓｅｃ＋０ｍｓｅｃ＝５００ｍｓｅｃ）として算出する。測定した遅延時間が４５１ｍｓｅｃであるので、遅延時間を調整する調整量となる遅延設定量は、５００ｍｓｅｃ−４５１ｍｓｅｃ＝４９ｍｓｅｃとなる。そして、この遅延設定量４９ｍｓｅｃがＩＦ遅延時間調整手段２３に出力されることとなる。
【００６９】
この基幹放送所地上デジタル放送波遅延時間測定調整装置３によれば、ＴＳ多重化信号受信手段１３によって、ＴＳ多重化信号が受信され、受信されたＴＳ多重化信号がＴＳ多重化信号送信手段１９によって送信される。ＴＳ遅延時間測定手段１５によって、ＴＳ多重化信号受信手段１３で受信されたＴＳ多重化信号の遅延時間が測定されると共に、ＩＩＰに収納されているＮＳＩパラメータを利用して遅延時間の調整量が決定される。ＴＳ遅延時間調整手段１７によって、ＴＳ遅延時間測定手段１５で決定された調整量に基づいて、遅延時間が調整される。ＯＦＤＭ変調手段２１によって、ＴＳ多重化信号受信手段１３で受信されたＴＳ多重化信号がＯＦＤＭ変調されてＯＦＤＭ波とされ、ＩＩＰに収納されていたＮＳＩパラメータが、ＯＦＤＭ波の補助信号であるＡＣ信号に収納される。そして、ＩＦ遅延時間調整手段２３によって、ＯＦＤＭ変調手段２１でＯＦＤＭ変調されたＯＦＤＭ波が送信される際の遅延時間が調整され、送信手段２５によって、ＩＦ遅延時間調整手段２３で送信する際の遅延時間が調整されたＯＦＤＭ波が送信される。ＩＦ遅延時間測定手段２７によって、送信手段２５で送信される際の遅延時間が測定されると共に、ＡＣ信号に収納されているＮＳＩパラメータが利用されて、送信する際の遅延時間の調整量が決定される。
【００７０】
このため、基幹放送所（放送所Ａ）において、遅延時間の調整量の基準となる相対遅延設定用データが、当該遅延時間を個別に制御するＩＩＰに収納されたＮＳＩパラメータを利用することより、地上デジタル放送波の遅延時間（ＴＳ伝送区間およびＩＦ伝送区間の遅延時間）を調整することができ、遅延時間の微調整を行う煩雑な作業を軽減することができる。
【００７１】
〈中継放送所地上デジタル放送波遅延時間測定調整装置の構成〉
中継放送所地上デジタル放送波遅延時間測定調整装置５は、中継放送所（放送所Ｂ）に設けられており、基幹放送所（放送所Ａ）に設けられている基幹放送所地上デジタル放送遅延時間測定調整装置３から光回線（図示せず）を介して送信されたＴＳ多重化信号を受信して、当該ＴＳ多重化信号の遅延時間を調整して末端放送所（放送所Ｃ，Ｄ）に送信するもので、ＴＳ多重化信号受信手段２９と、ＴＳ遅延時間測定手段３１と、ＴＳ遅延時間調整手段３３と、ＯＦＤＭ変調手段３５と、ＯＦＤＭ波送信手段３７と、ＩＦ遅延時間調整手段３９と、送信手段４１と、ＩＦ遅延時間測定手段４３とを備えている。
【００７２】
ＴＳ多重化信号受信手段２９は、基幹放送所（放送所Ａ）からＴＴＬ回線を介して送信されたＴＳ多重化信号を受信するものである。この実施形態では、ＴＳ多重化信号受信手段２９は、ＴＳ多重化信号を受信するマイクロ回線装置（受信装置）によって構成されている。
【００７３】
ＴＳ遅延時間測定手段３１は、ＴＳ多重化信号受信手段２９で受信されたＴＳ多重化信号の遅延時間（演奏所から送信されてからＴＳ多重化信号受信手段２９で受信されてＴＳ遅延時間調整手段３３に入力されるまでの時間）を測定すると共に、ＴＳ多重化信号に多重化されているＩＩＰに収められているＮＳＩパラメータに基づいて、遅延時間の設定量（遅延設定量）を決定する（設定すべき遅延時間を算出する）ものである。このＴＳ遅延時間測定手段３１で決定された遅延設定量は、ＴＳ遅延時間調整手段３３に出力される。
【００７４】
このＴＳ遅延時間測定手段３１によるＴＳ多重化信号の遅延時間の測定方法は、ＴＳ遅延時間測定手段１５とほぼ同様であるので説明を省略する。つまり、このＴＳ遅延時間測定手段３１で設定する放送所識別子（Ｅ−ＩＤ）がＴＳ遅延時間測定手段１５とは異なっているので、読み込まれるＴｉｍｅ  ｏｆｆｓｅｔ  Ｐｏｌａｒｉｔｙ（タイムオフセットの極性）とＴｉｍｅ  ｏｆｆｓｅｔ（タイムオフセット）とが異なることになり、結果として算出される目標遅延量（遅延設定量）も異なることになる。
【００７５】
ＴＳ遅延時間調整手段３３は、ＴＳ遅延時間測定手段３１で決定された遅延設定量（遅延時間の調整量）に基づいて、ＴＳ多重化信号の送信タイミングを調整するものである。つまり、このＴＳ遅延時間調整手段３３によって、ＴＳ伝送区間の遅延時間（ＴＳ遅延時間）が調整されることになる。このＴＳ遅延時間調整手段３３で送信タイミングが調整されたＴＳ多重化信号は、ＯＦＤＭ変調手段３５に出力される。
【００７６】
ＯＦＤＭ変調手段３５は、ＴＳ遅延時間調整手段３３でＴＳ伝送区間の遅延時間（ＴＳ遅延時間）が調整されたＴＳ多重化信号にＯＦＤＭ変調を施すものである。このＯＦＤＭ変調手段３５でＯＦＤＭ変調が施されたＴＳ多重化信号はＯＦＤＭ波として、ＯＦＤＭ波送信手段３７およびＩＦ遅延時間調整手段３９に出力される。なお、このＯＦＤＭ変調手段３５では、ＴＳ多重化信号に多重化されているＮＳＩを、ＯＦＤＭ波の補助信号であるＡＣ信号に多重化する。
【００７７】
ＯＦＤＭ波送信手段３７は、ＯＦＤＭ変調手段３５でＯＦＤＭ変調が施されたＯＦＤＭ波を送信タイミングの調整を行わずにそのまま、他の末端放送所に送信するものである。
【００７８】
ＩＦ遅延時間調整手段３９は、ＯＦＤＭ変調手段３５でＯＦＤＭ変調されたＯＦＤＭ波が送信手段４１で送信される際の送信タイミングを、ＩＦ遅延時間測定手段４３で決定された遅延設定量（遅延時間の調整量）に基づいて調整するものである。
【００７９】
送信手段４１は、当初、送信タイミングが調整される前のＯＦＤＭ波が入力されるとＩＦ遅延時間測定手段４３に出力すると共に、最終的にＩＦ遅延時間調整手段３９で送信タイミングが調整されたＯＦＤＭ波を、送信アンテナを介して送信するものである。
【００８０】
ＩＦ遅延時間測定手段４３は、送信手段４１から出力されたＯＦＤＭ波の遅延時間（演奏所から送信されてからＴＳ多重化信号受信手段２９で受信されて送信手段４１に入力されるまでの時間）を測定すると共に、ＡＣ信号に多重化されているＮＳＩに基づいて、遅延時間の設定量（遅延設定量）を決定する（設定すべき遅延時間を算出する）ものである。このＩＦ遅延時間測定手段４３で決定された遅延設定量は、ＩＦ遅延時間調整手段３９に出力される。
【００８１】
このＩＦ遅延時間測定手段４３によるＯＦＤＭ波の遅延時間の測定方法は、ＩＦ遅延時間測定手段２７とほぼ同様であるので説明を省略する。つまり、このＩＦ遅延時間測定手段４３で設定する放送所識別子（Ｅ−ＩＤ）がＩＦ遅延時間測定手段２７とは異なっているので、読み込まれるＴｉｍｅ  ｏｆｆｓｅｔ  Ｐｏｌａｒｉｔｙ（タイムオフセットの極性）とＴｉｍｅ  ｏｆｆｓｅｔ（タイムオフセット）とが異なることになり、結果として算出される目標遅延量（遅延設定量）も異なることになる。
【００８２】
この中継放送所地上デジタル放送波遅延時間測定調整装置５によれば、ＴＳ多重化信号受信手段２９によって、ＴＳ多重化信号が受信され、ＴＳ遅延時間測定手段３１によって、ＴＳ多重化信号受信手段２９で受信されたＴＳ多重化信号の遅延時間が測定されると共に、ＩＩＰに収納されているＮＳＩパラメータが利用されて遅延時間の調整量が決定される。そして、ＴＳ遅延時間調整手段３３によって、ＴＳ遅延時間測定手段３１で決定された調整量に基づいて、測定された遅延時間が調整され、ＯＦＤＭ変調手段によって、ＴＳ多重化信号受信手段２９で受信されたＴＳ多重化信号がＯＦＤＭ変調されてＯＦＤＭ波とされ、ＥＣＩに収納されていたＮＳＩパラメータがＯＦＤＭ波の補助信号であるＡＣ信号に収納し、ＡＣ信号を収納したＯＦＤＭ波がＯＦＤＭ波送信手段３７によって送信される。また、ＩＦ遅延時間調整手段３９によって、ＯＦＤＭ変調手段３５でＯＦＤＭ変調されたＯＦＤＭ波が送信される際の遅延時間が調整され、送信手段４１によって、ＩＦ遅延時間調整手段３９で送信する際の遅延時間が調整されたＯＦＤＭ波が、末端放送所（放送所Ｃ，Ｄ）に送信される。また、ＩＦ遅延時間測定手段４３によって、送信手段４１で送信される際の遅延時間が測定され、ＡＣ信号に収納されているＮＳＩパラメータが利用されて遅延時間の調整量が決定される。
【００８３】
このため、中継放送所（放送所Ｂ）において、遅延時間の調整量の基準となる相対遅延設定用データが、当該遅延時間を個別に制御するＩＩＰに収納されたＮＳＩパラメータを利用することより、地上デジタル放送波の遅延時間（ＴＳ伝送区間およびＩＦ伝送区間の遅延時間）を調整することができ、遅延時間の微調整を行う煩雑な作業を軽減することができる。
【００８４】
〈末端放送所地上デジタル放送波遅延時間測定調整装置の構成〉
末端放送所地上デジタル放送波遅延時間測定調整装置７は、末端放送所（放送所Ｃ、ＤおよびＥ）に設けられており、中継放送所（放送所Ｂ）に設けられている中継放送所地上デジタル放送遅延時間測定調整装置５（放送所Ｅの場合、末端放送所Ｄの末端放送所地上デジタル放送波遅延時間測定調整装置７）から地上デジタル放送波として送信されたＯＦＤＭ波を受信して、当該ＯＦＤＭ波の遅延時間を調整して、単一周波数網内の一般の受信機（図示せず）に送信するもので、ＯＦＤＭ波受信手段４５と、ＯＦＤＭ波送信手段４７と、ＩＦ遅延時間調整手段４９と、送信手段５１と、ＩＦ遅延時間測定手段５３とを備えている。
【００８５】
ＯＦＤＭ波受信手段４５は、中継放送所（放送所Ｂ）から地上デジタル放送波として送信されたＯＦＤＭ波を受信するものである。この実施形態では、ＯＦＤＭ波受信手段４５は、ＯＦＤＭ波を受信するマイクロ回線装置（受信装置）によって構成されている。
【００８６】
ＯＦＤＭ波送信手段４７は、ＯＦＤＭ波受信手段４５で受信されたＯＦＤＭ波を、送信タイミングの調整を行わずにそのまま、他の末端放送所に送信するものである。
【００８７】
ＩＦ遅延時間調整手段４９は、ＯＦＤＭ受信手段４５で受信されたＯＦＤＭ波が送信手段５１で送信される際の送信タイミングを、ＩＦ遅延時間測定手段５３で決定された遅延設定量（遅延時間の調整量）に基づいて調整するものである。
【００８８】
送信手段５１は、当初、送信タイミングが調整される前のＯＦＤＭ波が入力されるとＩＦ遅延時間測定手段５３に出力すると共に、最終的にＩＦ遅延時間調整手段４９で送信タイミングが調整されたＯＦＤＭ波を、送信アンテナを介して一般の受信機（図示せず）に送信するものである。
【００８９】
ＩＦ遅延時間測定手段５３は、送信手段５１から出力されたＯＦＤＭ波の遅延時間（演奏所から送信されてからＯＦＤＭ波受信手段４５で受信されて送信手段５１に入力されるまでの時間）を測定すると共に、ＯＦＤＭ波のＡＣ信号に多重化されているＮＳＩに収められているＥＣＩパラメータに基づいて、遅延時間の設定量（遅延設定量）を決定する（設定すべき遅延時間を算出する）ものである。このＩＦ遅延時間測定手段５３で決定された遅延設定量は、ＩＦ遅延時間調整手段４９に出力される。
【００９０】
このＩＦ遅延時間測定手段５３では、まず、ＮＳＩパラメータに収められているＳＴＳを基準に遅延時間を測定する。例えば、測定した測定結果（遅延時間）が４５５ｍｓｅｃであったとする。そして、このＩＦ遅延時間測定手段５３は、ＮＳＩパラメータに収められているＳＳＩテーブルおよびＥＣＩテーブルから、最大遅延時間５００ｍｓｅｃおよび放送所識別子（Ｅ−ＩＤ：００１）に該当するＴｉｍｅ  ｏｆｆｓｅｔ  Ｐｏｌａｒｉｔｙ（タイムオフセットの極性）とＴｉｍｅ  ｏｆｆｓｅｔ（タイムオフセット）とである１５０μｓｅｃを読み込む。
【００９１】
そうすると、このＩＦ遅延時間測定手段５３は、最大遅延時間（５００ｍｓｅｃ）＋タイムオフセット（１５０μｓｅｃ）を、目標遅延設定量（５００ｍｓｅｃ＋１５０μｓｅｃ＝５００．１５０ｍｓｅｃ）として算出する。測定した遅延時間が４５５ｍｓｅｃであるので、遅延時間を調整する調整量となる遅延設定量は、５００．１５０−４５５ｍｓｅｃ＝４５．１５０ｍｓｅｃとなる。そして、この遅延設定量４５．１５０ｍｓｅｃがＩＦ遅延時間調整手段４９に出力されることとなる。
【００９２】
この末端放送所地上デジタル放送波遅延時間測定調整装置７によれば、ＯＦＤＭ波受信手段４５によって、中継放送所（放送所Ｂ）で中継された、相対遅延設定用データを設定するＮＳＩパラメータがＡＣ信号に収納されたＯＦＤＭ波が受信され、受信されたＯＦＤＭ波がＯＦＤＭ波送信手段４７によって送信（再送信）される。続いて、ＩＦ遅延時間調整手段４９によって、ＯＦＤＭ波受信手段４５で受信されたＯＦＤＭ波を送信する際の遅延時間が調整され、送信手段５１によって、遅延時間が調整されたＯＦＤＭ波が送信される。また、ＩＦ遅延時間測定手段５３によって、送信手段５１で送信される際の遅延時間が測定されると共に、ＡＣ信号に収納されているＮＳＩパラメータを利用して遅延時間の調整量が決定される。
【００９３】
このため、末端放送所（放送所Ｃ、ＤおよびＥ）において、遅延時間の調整量の基準となる相対遅延設定用データが、当該遅延時間を個別に制御するＥＣＩに収納されたＮＳＩパラメータを利用することより、地上デジタル放送波の遅延時間（ＩＦ伝送区間の遅延時間）を調整することができ、遅延時間の微調整を行う煩雑な作業を軽減することができる。
【００９４】
〈遅延設定用データ送信装置の動作〉
次に、図６に示すフローチャートを参照して、遅延設定用データ送信装置１の動作について説明する（適宜、図１参照）。
まず、遅延設定用データ送信装置１は、事前に各放送所における遅延時間を入力しておく（ステップＳ１）。続いて、遅延設定用データ送信装置１は、ＮＳＩパラメータ設定手段９によって、各放送所（放送所Ａ〜Ｅ）における遅延時間の調整量の基準となる相対遅延設定用データを確定し、この確定した相対遅延設定用データをＮＳＩパラメータとして設定する（ステップＳ２）。
【００９５】
そして、遅延設定用データ送信装置１は、ＮＳＩ多重送出手段１１によって、ＮＳＩパラメータを収めたＩＩＰおよびＡＣ信号を地上デジタル放送波のトランスポートストリームに多重化したＴＳ多重化信号として基幹放送所（放送所Ａ）に送出（送信）する（ステップＳ３）。
【００９６】
〈ＴＳ−ＳＴＬ／ＴＴＬ受信放送所地上デジタル放送波遅延時間測定調整装置の動作〉
次に、図７に示すフローチャートを参照して、ＴＳ−ＳＴＬ／ＴＴＬ受信放送所地上デジタル放送波遅延時間測定調整装置（基幹放送所地上デジタル放送波遅延時間測定調整装置３または中継放送所地上デジタル放送波遅延時間測定調整装置５）の動作について説明する（適宜、図１参照）。ここでは、基幹放送所地上デジタル放送波遅延時間測定調整装置３と記述する。
【００９７】
ＴＳ−ＳＴＬ／ＴＴＬ受信放送所地上デジタル放送波遅延時間測定調整装置３は、まず、ＴＳ多重化信号受信手段１３によって、ＴＳ多重化信号を受信し（ステップＳ１１）、ＴＳ多重化信号送信手段１９によって、受信したＴＳ多重化信号をそのまま（送信タイミングを調整せずに）他の基幹放送所（図示せず）に送信する（ステップＳ１２）。
【００９８】
そして、ＴＳ−ＳＴＬ／ＴＴＬ受信放送所地上デジタル放送波遅延時間測定調整装置３は、ＴＳ遅延時間測定手段１５によって、ＴＳ伝送区間の遅延時間であるＴＳ遅延時間を測定し（ステップＳ１３）、遅延時間の調整量（遅延設定量）を確定（決定）する（ステップＳ１４）。そして、ＴＳ伝送放送所地上デジタル放送波遅延時間測定調整装置３は、ＴＳ遅延時間調整手段１７によって、ＴＳ遅延時間を調整する（ステップＳ１５）。
【００９９】
そして、ＴＳ−ＳＴＬ／ＴＴＬ受信放送所地上デジタル放送波遅延時間測定調整装置３は、ＯＦＤＭ変調手段２１によって、ＴＳ多重化信号をＯＦＤＭ変調し（ステップＳ１６）、ＯＦＤＭ波とする。このＯＦＤＭ波がＩＦ遅延時間調整手段２３および送信手段２５を介して、ＩＦ遅延時間測定手段２７に入力されると、ＴＳ−ＳＴＬ／ＴＴＬ受信放送所地上デジタル放送波遅延時間測定調整装置３は、このＩＦ遅延時間測定手段２７によって、ＩＦ遅延時間を測定し（ステップＳ１７）、遅延時間の調整量（遅延設定量）を確定（決定）する（ステップＳ１８）。
【０１００】
そして、ＴＳ−ＳＴＬ／ＴＴＬ受信放送所地上デジタル放送波遅延時間測定調整装置３は、ＩＦ遅延時間調整手段２３によって、ＩＦ遅延時間を調整し（ステップＳ１９）、送信手段２５によって、送信タイミングが調整されたＯＦＤＭ波を送信（送出）する（ステップＳ２０）。
【０１０１】
〈ＩＦ−ＴＴＬ受信放送所地上デジタル放送波遅延時間測定調整装置の動作〉
次に、図８に示すフローチャートを参照して、ＩＦ−ＴＴＬ受信放送所地上デジタル放送波遅延時間測定調整装置７（末端放送所地上デジタル放送波遅延時間測定調整装置７）の動作について説明する（適宜、図１参照）。
ＩＦ−ＴＴＬ受信放送所地上デジタル放送波遅延時間測定調整装置７は、まず、ＯＦＤＭ波受信手段４５によって、ＯＦＤＭ波を受信し（ステップＳ３１）、ＯＦＤＭ波送信手段４７によって、受信したＯＦＤＭ波を他の末端放送所（図示せず）に送信する（ステップＳ３２）。
【０１０２】
そして、ＯＦＤＭ受信手段４５によって受信されたＯＦＤＭ波がＩＦ遅延時間調整手段４９および送信手段５１を介して、ＩＦ遅延時間測定手段５３に入力されると、ＩＦ−ＴＴＬ受信放送所地上デジタル放送波遅延時間測定調整装置７は、このＩＦ遅延時間測定手段５３によって、ＩＦ遅延時間を測定し（ステップＳ３３）、遅延時間の調整量（遅延設定量）を確定（決定）する（ステップＳ３４）。
【０１０３】
そして、ＩＦ−ＴＴＬ受信放送所地上デジタル放送波遅延時間測定調整装置７は、ＩＦ遅延時間調整手段４９によって、ＩＦ遅延時間を調整し（ステップＳ３５）、送信手段５１によって、送信タイミングが調整されたＯＦＤＭ波を送信する（ステップＳ３６）。
【０１０４】
以上、本発明の実施形態について説明したが、本発明は前記実施形態に限定されない。例えば、本実施形態では、単一周波数網システムＳを構成する、遅延設定用データ送信装置１、基幹放送所地上デジタル放送波遅延時間測定調整装置３、中継放送所地上デジタル放送波遅延時間測定調整装置５および末端放送所地上デジタル放送波遅延時間測定調整装置７として説明したが、各装置（１，３，５，７）の各構成の処理を汎用的なコンピュータ言語または特殊なコンピュータ言語で記述した、プログラムとそれぞれみなすことができる。これらの場合、各装置（１，３，５，７）と同様の効果を得ることができる。
【図面の簡単な説明】
【０１０５】
【図１】本発明の実施形態に係る単一周波数網システムのブロック図である。
【図２】ＮＳＩパラメータの設定について説明した図である。
【図３】各放送所での遅延量の設定について説明した図である。
【図４】各放送所別の送信タイミングの微調整について説明した図である。
【図５】ＮＳＩ設定テーブルの作成例について説明した図であり、（ａ）は相対遅延設計について説明した図であり、（ｂ）はＮＳＩ設定テーブル（ＮＳＩテーブル、ＳＳＩテーブル、ＥＣＩテーブル）について説明した図である。
【図６】図１に示した遅延設定用データ送信装置の動作を説明したフローチャートである。
【図７】図１に示した基幹放送所地上デジタル放送波遅延時間測定調整装置の動作を説明したフローチャートである。
【図８】図１に示した末端放送所地上デジタル放送波遅延時間測定調整装置の動作を説明したフローチャートである。
【符号の説明】
【０１０６】
１                遅延設定用データ送信装置
３                基幹放送所地上デジタル放送波遅延時間測定調整装置（ＴＳ−ＳＴＬ／ＴＴＬ受信放送所地上デジタル放送波遅延時間測定調整装置）
５                中継放送所地上デジタル放送波遅延時間測定調整装置（ＴＳ−ＳＴＬ／ＴＴＬ受信放送所地上デジタル放送波遅延時間測定調整装置）
７                末端放送所地上デジタル放送波遅延時間測定調整装置（ＩＦ−ＴＴＬ受信放送所地上デジタル放送波遅延時間測定調整装置）
９                ＮＳＩパラメータ設定手段
１１              ＮＳＩ多重送出手段
１３、２９        ＴＳ多重化信号受信手段
１５、３１        ＴＳ遅延時間測定手段
１７、３３        ＴＳ遅延時間調整手段
１９              ＴＳ多重化信号送信手段
２１、３５        ＯＦＤＭ変調手段
２３、３９、４９  ＩＦ遅延時間調整手段
２５、４１、５１  送信手段
２７、４３、５３  ＩＦ遅延時間測定手段
３７、４７        ＯＦＤＭ波送信手段
４５              ＯＦＤＭ波受信手段
【図１】
0004383267.tif 000002
【図２】
0004383267.tif 000003
【図３】
0004383267.tif 000004
【図４】
0004383267.tif 000005
【図５】
0004383267.tif 000006
【図６】
0004383267.tif 000007
【図７】
0004383267.tif 000008
【図８】
0004383267.tif 000009